(57)【要約】【課題】ズーミング時に第１レンズ群を固定とした構成で、小型で高い光学性能を有しながらも、20倍を超える高ズーム比を有するズームレンズを提供すること。【解決手段】物体側より像側へ順に、正の屈折力の第1レンズ群、負の屈折力の第2レンズ群、正の屈折力の第3レンズ群、正の屈折力の第4レンズ群、正の屈折力の第5レンズ群からなり、広角端から望遠端へのズーミングに際し、第１レンズ群が固定で、少なくとも、第2レンズ群、第4レンズ群、第5レンズ群が光軸上を移動するズームレンズにおいて、第2レンズ群と、第2レンズ群より後群の変倍分担と、第2レンズ群の焦点距離、望遠端での全系の焦点距離を適切に設定することを特徴とする。【選択図】図１
2017037199.tif 000002
【特許請求の範囲】
【請求項１】
物体側より像側へ順に、正の屈折力の第1レンズ群、負の屈折力の第2レンズ群、正の屈折力の第3レンズ群、正の屈折力の第4レンズ群、正の屈折力の第5レンズ群からなり、
無限物点に対する広角端から望遠端へのズーミングに際し、第１レンズ群が固定で、
少なくとも、第2レンズ群、第4レンズ群、第5レンズ群が光軸上を移動するズームレンズにおいて、
第2レンズ群の望遠端と広角端の横倍率の比をZ2、
第3レンズ群の望遠端と広角端の横倍率の比をZ3、
第4レンズ群の望遠端と広角端の横倍率の比をZ4、
第5レンズ群の望遠端と広角端の横倍率の比をZ5、
広角端での第2、3、4、5群の横倍率をβ2w、β3w、β4w、β5w、
望遠端での第2、3、4、5群の横倍率をβ2t、β3t、β4t、β5t、
第2レンズ群の焦点距離をf2、望遠端での全系の焦点距離をfT、としたとき、
以下の条件式を満足することを特徴とするズームレンズ。 
1.0 <  Z2 / (Z3・Z4・Z5)  < 12.0                          
-0.080 < f2/fT   < -0.020                        
Z2 = β2t /β2w、
Z3 = β3t /β3w、
Z4 = β4t /β4w、
Z5= β5t /β5w
【請求項２】
広角端での全系の焦点距離をfw、第3レンズ群の焦点距離をf3としたとき以下を満足することを特徴とする請求項１に記載のズームレンズ。
1.0 ＜ f3/√(fw・ft)  ＜5.0                     
【請求項３】
第4レンズ群の焦点距離をf4、広角端から望遠端へ第4レンズ群が光軸上を移動する量をm4、m4の符号を第4レンズ群が物体側に移動した場合を正、像側に移動した場合を負としたとき、以下を満足することを特徴とする請求項１又は請求項２に記載のズームレンズ。
1.0＜   f4/m4  ＜15.0                   
【請求項４】
広角端での全系の焦点距離をfw、第1レンズ群の焦点距離をf1としたとき以下を満足することを特徴とする請求項１乃至請求項３の何れか一項に記載のズームレンズ。
10＜  f1/fw   ＜30.0            
【請求項５】
第5レンズ群の焦点距離をf5としたとき以下を満足することを特徴とする請求項１乃至請求項４の何れか一項に記載のズームレンズ。
0.1＜   f5/ft  ＜0.8                 
【請求項６】
第3レンズ群は、１枚の負レンズと１枚の正レンズから構成されることを特徴とする請求項１乃至請求項５の何れか一項に記載のズームレンズ。
【請求項７】
第4レンズ群は、１枚の負レンズと１枚の正レンズから構成されることを特徴とする請求項１乃至請求項６の何れか一項に記載のズームレンズ。
【請求項８】
第5レンズ群は、１枚の負レンズと１枚の正レンズから構成されることを特徴とする請求項１乃至請求項７の何れか一項に記載のズームレンズ。
【請求項９】
請求項１乃至請求項８の何れか一項に記載のズームレンズと、該ズームレンズによって形成された像を受光する固体撮像素子とを有していることを特徴とする撮像装置。
【発明の詳細な説明】
【技術分野】
【０００１】
本発明はズームレンズおよびこれを用いた撮像装置に関し、例えばビデオカメラ、デジタルカメラなどに好適なものである。
【背景技術】
【０００２】
近年、固体撮像素子を用いたビデオカメラ、デジタルカメラ等の撮像装置の小型化と高機能化が進んでおり、それに用いる光学系として、小型で、明るいFnoを有し、しかも高い解像力のズームレンズが要求されている。それと同時に、ズーミング時に必要な駆動源の省力化や、ズーミング時の微小な像ブレの抑制、さらには鏡筒の強度を高めるために、ズーミング時に第１レンズ群を固定とした構成が強く要求されている。
【０００３】
このような要求に応えるために、物体側より像側へ順に、正負正正正の5つの群で構成され、ズーミング時に第１レンズ群を固定とし、第1群より後方(像側)の複数レンズ群を移動させることによって、変倍とフォーカスを行うズームレンズが提案されている。
【０００４】
このようなズームレンズとして、従来、特許文献1、および特許文献2のようなズームレンズが開示されている。特許文献１、２の実施例では、ズーム比が18倍〜20倍程度の小型のズームレンズが開示されているが、近年のズームレンズの高変倍化の要求に対して、必ずしも十分なズーム比を満足しているとは言えず、更なる高変倍化が求められている。
【先行技術文献】
【特許文献】
【０００５】
【特許文献１】特開2009-157067号公報
【特許文献２】特開2009-169264号公報
【発明の概要】
【発明が解決しようとする課題】
【０００６】
特許文献１、２に開示されているズームレンズにて、更に高変倍化を図ろうとすると、主変倍群である2群の変倍負担が大き過ぎることから、第2レンズ群のストロークが増大し過ぎてしまい、レンズ全長が大型化してしまうことが課題であった。これを解決するには、第2レンズ群より後群に適切に変倍負担を割り振ることで、第2レンズ群の変倍負担を軽減しつつ、第2レンズ群の屈折力を適切に設定することで、第2レンズ群のストロークを短縮化することが重要である。
【０００７】
そこで、本発明は、ズーミング時に第１レンズ群を固定とした、正負正正正の5群構成のズームレンズにて、第2レンズ群とそれより後群の変倍分担と、第2レンズ群の焦点距離を適切に設定することによって、小型で高い光学性能を有しながらも、20倍を超える高ズーム比を有するズームレンズを提供することを目的とする。
【課題を解決するための手段】
【０００８】
上記の目的を達成するために、本発明に係るズームレンズは、
物体側より像側へ順に、
正の屈折力の第1レンズ群、
負の屈折力の第2レンズ群、
正の屈折力の第3レンズ群、
正の屈折力の第4レンズ群、
正の屈折力の第5レンズ群からなり、
無限物点に対する広角端から望遠端へのズーミングに際し、
第1レンズ群が固定で、少なくとも、第2レンズ群、第4レンズ群、第5レンズ群が光軸上を移動するズームレンズにおいて、
第2レンズ群の望遠端と広角端の横倍率の比をZ2、
第3レンズ群の望遠端と広角端の横倍率の比をZ3、
第4レンズ群の望遠端と広角端の横倍率の比をZ4、
第4レンズ群の望遠端と広角端の横倍率の比をZ5、
広角端での第2、3、4、5群の横倍率をβ2w、β3w、β4w、β5w、
望遠端での第2、3、4、5群の横倍率をβ2t、β3t、β4t、β5t、
第2レンズ群の焦点距離をf2、 
望遠端での全系の焦点距離をfT、
としたとき、以下の条件式を満足することを特徴とする。 
1.0 <  Z2 / (Z3・Z4・Z5)  < 12.0                 (1)   
-0.080 < f2/fT   < -0.020                        (2)
Z2 = β2t /β2w、
Z3 = β3t /β3w、
Z4 = β4t /β4w、
Z5= β5t /β5w
【発明の効果】
【０００９】
本発明によれば、ズーミング時に第１レンズ群を固定とした、正負正正正の5群構成のズームレンズにおいて、小型で高い光学性能を有しながらも、20倍を超える高ズーム比を有するズームレンズおよびこれを用いた撮像装置が得られる。
【図面の簡単な説明】
【００１０】
【図１】本発明の数値実施例１のレンズ断面図
【図２】本発明の数値実施例１の広角端における収差図
【図３】本発明の数値実施例１の中間位置における収差図
【図４】本発明の数値実施例１の望遠端における収差図
【図５】本発明の数値実施例２のレンズ断面図
【図６】本発明の数値実施例２の広角端における収差図
【図７】本発明の数値実施例２の中間位置における収差図
【図８】本発明の数値実施例２の望遠端における収差図
【図９】本発明の数値実施例３のレンズ断面図
【図１０】本発明の数値実施例３の広角端における収差図
【図１１】本発明の数値実施例３の中間位置における収差図
【図１２】本発明の数値実施例３の望遠端における収差図
【図１３】本発明の数値実施例４のレンズ断面図
【図１４】本発明の数値実施例４の広角端における収差図
【図１５】本発明の数値実施例４の中間位置における収差図
【図１６】本発明の数値実施例４の望遠端における収差図
【図１７】本発明の撮像装置の要概略図
【図１８】本発明の撮像装置の要概略図
【発明を実施するための形態】
【００１１】
以下に本発明の好ましい形態を添付の図に基づき説明する。
図1は本発明の実施例1のズームレンズの広角端（短焦点距離端）におけるレンズ断面図である。図2、図3、図4はそれぞれ実施例1のズームレンズの広角端、中間のズーム位置、望遠端（長焦点距離端）における収差図である。実施例1はズーム比24.6、開口比1.86〜3.50程度のズームレンズである。
【００１２】
図5は本発明の実施例2のズームレンズの広角端（短焦点距離端）におけるレンズ断面図である。図6、図7、図8はそれぞれ実施例2のズームレンズの広角端、中間のズーム位置、望遠端（長焦点距離端）における収差図である。実施例2はズーム比24.6、開口比1.86〜3.50程度のズームレンズである。
【００１３】
図9は本発明の実施例3のズームレンズの広角端（短焦点距離端）におけるレンズ断面図である。図10、図11、図12はそれぞれ実施例3のズームレンズの広角端、中間のズーム位置、望遠端（長焦点距離端）における収差図である。実施例3はズーム比28.1、開口比1.86〜3.50程度のズームレンズである。
【００１４】
図13は本発明の実施例4のズームレンズの広角端（短焦点距離端）におけるレンズ断面図である。図14、図15、図16はそれぞれ実施例4のズームレンズの広角端、中間のズーム位置、望遠端（長焦点距離端）における収差図である。実施例4はズーム比25.1、開口比1.86〜3.50程度のズームレンズである。
【００１５】
レンズ断面図において、Ｌｉは第ｉレンズ群を示し、ｉは物体側から像側への各レンズ群の順序を示している。ＳＰは開放Ｆナンバー（Ｆｎｏ）光束を決定（制限）する開口絞りの作用をするＦナンバー決定部材（以下「開口絞り」と呼ぶ）である。Ｇは光学フィルタ、フェースプレート、水晶ローパスフィルタ、赤外カットフィルタ等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００１６】
又、銀塩フィルム用カメラの撮影光学系として使用する際にはフィルム面に相当する感光面が置かれている。収差図において、ｄ、Fは各々ｄ線及びF線、ΔＭ、ΔＳはメリディオナル像面、サジタル像面を表している。また、軸上および倍率色収差は、ｇ線によって表している。
【００１７】
図1より、まず、本発明のズームレンズは、物体側より像側へ順に、正の屈折力の第1レンズ群L1、負の屈折力の第2レンズ群L2、絞り SP正の屈折力の第3レンズ群L3、正の屈折力の第4レンズ群L4、正の屈折力の第5レンズ群L5からなり、無限物点に対する広角端から望遠端へのズーミングに際して、第１レンズ群が固定で、少なくとも、第2レンズ群、第4レンズ群、第5レンズ群が光軸上を移動することを特徴としている。
【００１８】
本発明では、第2レンズ群以降の後群に、効果的に変倍分担を割り振るために、正負正正正の5群構成を採用した。従来の1群固定のズームレンズに採用されている、正負正正の4群構成は、第2レンズ群以降の後群に変倍分担を大きく割り振ると、後群の移動量が増大し、その移動スペースを確保するため、広角端にて第2レンズ群と後群の間隔が広がり過ぎてしまい、後群に入射する光束径が大きくなり過ぎ、後群の外径が大型化することが課題であった。そのため、本発明では、絞り近傍に正群を追加し光束を収斂させることで、後群に入射する光束径を抑え、後群の外径の大型化を抑制している。
【００１９】
更に、上記のように構成したズームレンズにて、以下の条件式を満足する。
1.0 <  Z2 / (Z3・Z4・Z5)  < 12.0               (1)  
-0.080 < f2/fT   < -0.020                       (2)  
Z2 = β2t /β2w、
Z3 = β3t /β3w、
Z4 = β4t /β4w、
Z5= β5t /β5w
ただし、第2レンズ群の焦点距離をf2、 望遠端での全系の焦点距離をfT、第2レンズ群の望遠端と広角端の横倍率の比をZ2、第3レンズ群の望遠端と広角端の横倍率の比をZ3、第4レンズ群の望遠端と広角端の横倍率の比をZ4、第4レンズ群の望遠端と広角端の横倍率の比をZ5、広角端での第2、3、4、5群の横倍率をβ2w、β3w、β4w、β5w、望遠端での第2、3、4、5群の横倍率をβ2t、β3t、β4t、β5t、とする。
【００２０】
条件式（1）は、第2レンズ群と第2レンズ群より後群の変倍分担を規定する式である。条件式の上限を上回ると、第2レンズ群より後群の変倍負担が小さく、第2レンズ群の変倍負担が過大となる。そのため、第2レンズ群の屈折力を一定とした場合、第2レンズ群のストロークが増大するため、レンズ全長の小型化に不利となる。また、第2レンズ群のストロークを一定とした場合、第2レンズ群の屈折力が強まり過ぎてしまうため、広角端でオーバー方向に像面湾曲が発生することが課題となる。
【００２１】
一方、条件式の下限を下回ると、第2レンズ群より後群の変倍負担が過大となることから、第4レンズ群や第5レンズ群の屈折力が強まり過ぎてしまい、変倍全域で内向性のコマ収差とアンダー方向の像面彎曲が発生することが課題となる。
【００２２】
条件式(2)は第2レンズ群L2のパワー配置に関する条件式である。上限を超えると、変倍全域でオーバー方向に球面収差が発生することが課題となる。また、第2レンズ群の屈折力が弱まるため、所望の望遠端の焦点距離まで高変倍比化を図ろうとすると、第2レンズ群のストロークが大きくなり、レンズ全長が大型化してしまう。下限を超えると、第2レンズ群の屈折力が強まり過ぎてしまい、広角端でオーバー方向に像面湾曲が発生することが課題となる。
【００２３】
上記の（1）、（2）の条件を満たすことによって本発明の課題である、小型で高い光学性能を有しながらも、高ズーム比を有するズームレンズを実現することが可能となる。
【００２４】
なお更に好ましくは、実施の形態の効果を大きくするために、条件式(1)(2)の範囲を以下の範囲に設定することが好ましい。
2.0<  Z2 / (Z3・Z4・Z5) < 10.0                   （1a） 
-0.080 < f2/fT   < -0.040                         (2a) 
更に好ましくは、条件式(1a)(2a)の範囲を以下の範囲に設定することが好ましい。
3.0 <  Z2 / (Z3・Z4・Z5)< 9.0                    （1b） 
-0.076< f2/fT   < -0.040                           (2b)
更に、本発明のズームレンズは以下の条件を満足することが好ましい。
1.0 ＜ f3/√(fw・ft)  ＜5.0              （3）
1.0＜  f4/m4       ＜15.0                （4）
10＜   f1/fw        ＜30.0                （5）
0.1＜   f5/ft        ＜0.8                 （6）
ただし、広角端の焦点距離をfw、第1レンズ群L1の焦点距離をf1、第3レンズ群L3の焦点距離をf3、第4レンズ群L4の焦点距離をf4、第5レンズ群L5の焦点距離をf5、広角端から望遠端へ第4レンズ群が光軸上を移動する量をm4とする。m4の符号については、第4レンズ群が物体側に移動した場合を正、像側に移動した場合を負とする。
【００２５】
条件式（3）は第3レンズ群L3のパワー配置に関する条件式である。上限を上回ると、第3レンズ群の屈折力が弱まるため、広角端において、レンズ全長が大型化してしまう。一方、条件式の下限を下回ると、第3レンズ群の焦点距離が短くなり過ぎてしまうため、変倍全域でアンダー方向に発生する球面収差が課題となる。
【００２６】
条件式（4）は第4レンズ群L4のパワー配置と移動量に関係する条件式である。上限を上回ると、第4レンズ群の屈折力が弱まり、第4レンズ群のストロークが大きくなるため、レンズ全長の小型化に不利となる。一方、条件式の下限を下回ると、第4レンズ群の移動量は小さくなり、レンズ全長の小型化には有利となるが、第4レンズ群の屈折力が強まり過ぎてしまうため、変倍全域で内向性のコマ収差が発生することが課題となる。
【００２７】
条件式（5）は、第1レンズ群L1のパワー配置に関する条件式である。上限を上回ると、第1レンズ群の屈折力が弱まり過ぎてしまうため、望遠端にて発生するオーバー方向の球面収差が課題となる。一方、条件式の下限を下回ると、1群の屈折力が強まり過ぎてしまい、望遠端にて発生する球面収差とF線の倍率色収差が課題となる。また、1群の屈折力が強まりすぎることで、1群内の正レンズの曲率がきつくなり過ぎてしまい、レンズの加工上のコバ厚を確保するのに前玉の外径が大型化することが課題となる。
【００２８】
条件式(6)は、第5レンズ群L5のパワー配置に関する条件式である。上限を超えると、第5レンズ群の屈折力が弱まり過ぎてしまい、変倍に伴う第5レンズ群の移動量が大きくなり過ぎてしまうため、レンズ全長の小型化に不利となる。一方、条件式の下限を下回ると、5群の屈折力が強まり過ぎてしまい、変倍全域でアンダー方向に発生する像面彎曲が課題となる。また、5群の屈折力が強まり過ぎると、フィルタ等を挿入するために必要な長さのバックフォーカスを確保することが困難となる。
【００２９】
更に好ましくは、実施の形態の効果を大きくするために、条件式(3)〜(8)の範囲を以下の範囲に設定することが好ましい。
1.5＜   f3/√(fw・ft)    ＜4.5                （3a）
1.5＜   f4/m4     ＜10.0                    （4a）
11.0＜  f1/fw   ＜20.0                      （5a）
0.2＜   f5/ft   ＜0.5                        （6a）
次に、本発明のズームレンズの構成について、詳細を述べる。各実施例のズームレンズは、広角端から望遠端のズーミングに際して、第1レンズ群L1は固定とし、第2レンズ群L2を像側に、第4レンズ群L4を物体側に移動させることで変倍を行っている。更に、実施例3,4では、第3レンズ群L3も移動させることで変倍を行っている。ズーミングに伴うピント変動の補正は主に、第5レンズ群L5を移動することで実現される。フォーカシングは第1レンズ群L1もしくは第5レンズ群L5を光軸方向に移動させることで行う。
また、各実施例のズームレンズにて、開口絞りＳＰは、第2レンズ群L2と第3レンズ群L3の間に配置している。更に、実施例3,4では、開口絞りＳＰを、ズーム中間域において第3レンズ群L3と一体で、物体側に移動させることにより、前玉径の小型化を行っている。
【００３０】
次に、各レンズ群の群内構成について、図1を参照して詳細に説明する。第1レンズ群L1は、物体側から順に像側に、負レンズL11と正レンズL12を接合した接合レンズL14と、物体側の面が凸でメニスカス形状の正レンズL13で構成している。各実施例のズームレンズでは、小型で高変倍比とするために、第1レンズ群L1の屈折力を強めている。このとき、第1レンズ群L1内で発生する諸収差として、望遠端において球面収差、軸上色収差、倍率色収差が多く発生する。そこで、第1レンズ群L1の正の屈折力を、接合レンズL14と正レンズL13によって分担し、これらの収差の発生を低減している。  第2レンズ群L2は、屈折力の絶対値が物体側に対して像側に強い負レンズL21、両凹形状の負レンズL22、正レンズL23と負レンズL24を接合した接合レンズL25で構成している。各実施例のズームレンズでは、高変倍化時の2群ストロークの増加を抑えるために、第2レンズ群L2の屈折力を強めている。このとき、第2レンズ群L2内で発生する諸収差として、広角端において像面彎曲が多く発生する。そこで、第2レンズL2の負の屈折力を、負レンズL21とL22に分担することにより、これらの収差の発生を抑制している。
【００３１】
第3レンズ群L3は、物体側の面が凸形状の正レンズL31、像側の面が凹でメニスカス形状の負レンズL32で構成している。各実施例においては広角端のレンズ全長の短縮のために、第3レンズ群L3の屈折力を強めている。このとき、第3レンズ群L3内で発生する諸収差として、ズーム全域で球面収差、コマ収差、軸上色収差が多く発生する。そこで、正レンズL31には、屈折率1.6以上、アッベ数60以上の高屈折率、低分散硝材を使用することによって、これらの収差の発生を抑えている。
【００３２】
第4レンズ群L4は、正レンズL41と負レンズL42を接合した接合レンズL43で構成している。接合レンズL43とすることで、第4レンズ群のストローク短縮のために、第4レンズ群の屈折力を強めた場合でも、ズーム全域にてコマ収差を良好に抑えている。
第5レンズ群L5は、正レンズL51と負レンズL52を接合した、接合レンズL53で構成している。接合レンズL53のみとすることで、フォーカシングを第5レンズ群L5で行う場合には駆動するレンズ群を軽量化し、迅速なフォーカスを可能としている。更に、第5レンズ群を接合レンズで構成することで、屈折力を強めた場合でも、ズーム全域にて倍率色収差を良好に抑えている。
【００３３】
なお各実施例では任意のレンズ群を光軸と垂直な方向に移動させて手ぶれ補正を行うことが可能である。
【００３４】
さらに、本発明が提案するズームレンズは、歪曲収差と倍率色収差を含んだ電気信号を画像処理によって補正するシステムと合わせて使用することにより、全ズーム領域でさらに高い性能を達成することができる。
【００３５】
次に本発明の各実施例の数値実施例を示す。各数値実施例において、ｉは物体側からの面の順序を示し、Ｒiはレンズ面の曲率半径、Ｄiは第i面と第i+1面との間のレンズ肉厚および空気間隔、Ｎdi、νdiはそれぞれｄ線に対する屈折率、アッベ数を示す。また、もっとも像側の２面は水晶ローパスフィルタ、赤外カットフィルタ等のフィルタ部材である。
【００３６】
各数値実施例において使用する記号の意味は次に示すとおりである。数値実施例においてＲｉは物体側より順に第ｉ番目のレンズ面の曲率半径、Ｄｉは物体側より順に第ｉ番目のレンズ厚及び空気間隔、Ｎｉとνｉは各々物体側より順に第ｉ番目のレンズのガラスのｄ線に対する屈折率、アッベ数である。又前述の各条件式と数値実施例の関係を表１に示す。
【００３７】
非球面形状は光軸方向にＸ軸、光軸と垂直方向にＨ軸、光の進行方向を正としＲを近軸曲率半径、Kを円錐定数、A4，A6，A8を各々非球面係数としたとき
【００３８】
【数１】
2017037199.tif 000003
【００３９】
なる式で表している。また、［e+X］は［×10＋ｘ］を意味し、［e-X］は［×10-ｘ］を意味している。非球面は面番号の後に*を付加して示す。
【００４０】
［数値実施例1］
単位 mm
面データ
面番号       r        d      nd         vd
1         53.958    1.25   1.80809    22.8           
2         25.795    5.15   1.59282    68.6           
3       -329.460    0.15                             
4         24.034    2.51   1.80400    46.6           
5         65.143  (可変)                             
6        203.714    0.50   1.88300    40.8           
7          5.571    3.11                             
8        -12.961    0.50   1.91082    35.3           
9         77.722    0.12                             
10         11.797    1.90   2.00272    19.3           
11        -59.300    0.50   1.58313    59.4           
12         12.788  (可変)                             
13(絞り)    ∞       1.40                             
14*         6.603    3.62   1.61881    63.9           
15*       211.525    0.00                             
16*        14.928    0.55   1.88202    37.2           
17*         5.963  (可変)                             
18         12.226    0.55   2.00069    25.5           
19          6.868    2.04   1.80139    45.5           
20*       -46.350  (可変)                             
21*        15.241    2.00   1.55332    71.7           
22        -24.004    0.55   1.90366    31.3           
23        -88.533  (可変)                             
24          ∞       1.60   1.54400    60.0           
25          ∞     (可変)                             
像面        ∞   
非球面データ
第14面
K =-7.22586e-001  A 4=-2.05799e-005  A 6=-8.71557e-007  A 8= 3.96895e-007  
第15面
K = 8.37618e+002  A 4= 2.54956e-005  A 6=-1.80588e-007  A 8= 5.43983e-009  
第16面
K = 6.36896e-001  A 4=-3.75202e-004  A 6=-1.34068e-005  A 8=-8.06225e-007  
第17面
K =-9.25366e-002  A 4=-5.54564e-004  A 6=-2.04769e-005  A 8=-1.03451e-006  
第20面
K =-4.47002e+001  A 4= 1.44258e-005  A 6=-2.13891e-006  
第21面
K = 4.41495e+000  A 4=-9.33677e-005  A 6=-1.02749e-005  
各種データ
ズーム比     24.59 
焦点距離       2.57     9.33    63.20    
Fナンバー      1.86     3.20     3.50     
画角          36.56    13.56     2.04      
レンズ全長    69.93    69.93    69.93     
BF             1.17     1.17     1.17      
d 5            0.64    11.84    23.04     
d12           23.89    12.70     1.50      
d17            7.94     1.55     1.87      
d20            3.31     9.24     6.92      
d23            5.00     5.46     7.45      
d25            1.17     1.17     1.17       
ズームレンズ群データ
群  始面    焦点距離  
1    1      33.82  
2    6      -4.77  
3   13      36.82  
4   18      14.42  
5   21      31.20  
［数値実施例2］
単位 mm
面データ
面番号       r        d      nd         vd
1         52.311    1.25   1.85478    24.8           
2         24.115    6.22   1.59522    67.7           
3      -1133.165    0.15                             
4         23.862    3.27   1.80400    46.6           
5         75.751  (可変)                             
6         68.476    0.50   1.88300    40.8           
7          5.156    3.11                             
8        -12.158    0.50   1.83481    42.7           
9        117.782    0.12                             
10         12.195    1.80   1.92286    18.9           
11        -60.176    0.50   1.83481    42.7           
12         25.819  (可変)                             
13(絞り)    ∞       1.40                             
14*         6.425    3.03   1.58313    59.4           
15*       -43.860    0.15                             
16         17.575    0.55   1.88300    40.8           
17          6.308  (可変)                             
18          9.753    0.55   2.00069    25.5           
19          6.660    2.33   1.60311    60.6           
20        -42.210  (可変)                             
21*        14.145    2.21   1.55332    71.7           
22        -13.908    0.55   1.88300    40.8           
23        -72.070  (可変)                             
24          ∞       1.60   1.54400    60.0           
25          ∞     (可変)                             
像面        ∞   
非球面データ
第14面
K =-5.96658e-001  
A 5=-5.16765e-006  A 7= 9.47574e-008  
第15面
K =-1.04727e+002  
A 5= 3.46050e-006  
第21面
K = 3.66448e+000  A 4=-1.18623e-004  A 6=-2.58753e-006  
各種データ
ズーム比     24.56 
焦点距離       3.00     9.30    73.78   
Fナンバー      1.86     3.20     3.50     
画角          33.99    13.60     1.75       
レンズ全長    73.67    73.67    73.67      
BF             1.20     1.20     1.20     
d 5            0.65    11.79    22.93     
d12           23.78    12.64     1.50    
d17            9.96     4.51     1.88       
d20            3.30     7.77    11.44      
d23            5.00     5.97     4.94     
d25            1.20     1.20     1.20      
ズームレンズ群データ
群  始面    焦点距離  
1    1      34.20  
2    6      -4.87  
3   13      28.73  
4   18      17.38  
5   21      35.41  
［数値実施例３］
単位 mm
面データ
面番号       r        d      nd         vd
1         53.225    1.25   1.80809    22.8           
2         25.906    5.30   1.59282    68.6           
3       -322.037    0.15                             
4         24.138    2.57   1.80400    46.6           
5         64.490  (可変)                             
6        210.837    0.50   1.88300    40.8           
7          5.561    3.11                             
8        -12.826    0.50   1.91082    35.3           
9         86.004    0.12                             
10         11.793    1.90   2.00272    19.3           
11        -70.484    0.50   1.58313    59.4           
12         13.158  (可変)                             
13(絞り)    ∞       1.40                             
14*         6.657    3.61   1.61881    63.9           
15*        94.700    0.00                             
16*        14.651    0.55   1.88202    37.2           
17*         5.978  (可変)                             
18         12.079    0.55   2.00069    25.5           
19          6.749    2.87   1.80139    45.5           
20*       -46.210  (可変)                             
21*        13.886    2.00   1.55332    71.7           
22        -20.995    0.55   1.90366    31.3           
23       -100.494  (可変)                             
24          ∞       1.60   1.51500    70.0           
25          ∞     (可変)                             
像面        ∞   
非球面データ
第14面
K =-7.77346e-001  A 4=-1.82825e-005  A 6= 7.28287e-007  A 8= 2.39824e-007  
第15面
K =-1.39915e+003  A 4= 1.44455e-003  A 6=-3.75118e-006  A 8=-1.17511e-007  
第16面
K = 4.93318e+000  A 4= 5.90022e-004  A 6= 1.96153e-005  A 8=-1.14629e-006  
第17面
K = 5.58629e-001  A 4=-6.62725e-004  A 6= 3.28989e-006  A 8=-1.43739e-006  
第20面
K =-3.31998e+001  A 4= 3.98440e-005  A 6=-1.87140e-006  
第21面
K = 3.89463e+000  A 4=-1.00933e-004  A 6=-9.33332e-006  
各種データ
ズーム比     28.14 
焦点距離       2.57     9.60    72.32  
Fナンバー      1.86     3.20     3.50     
画角          36.56    13.19     1.78       
レンズ全長    71.33    71.33    71.33     
BF             1.26     1.26     1.26      
d 5            0.64    11.99    23.34    
d12           23.93    10.71     1.23    
d17            8.18     3.58     2.16     
d20            3.29     7.63     9.16     
d23            5.00     7.13     5.16     
d25            1.26     1.26     1.26      
ズームレンズ群データ
群  始面    焦点距離  
1    1      33.81  
2    6      -4.78  
3   13      41.00  
4   18      14.40  
5   21      30.78  
［数値実施例４］
単位 mm
面データ
面番号       r        d      nd         vd
1         52.910    1.25   1.85478    24.8           
2         23.964    5.87   1.59522    67.7           
3       -818.272    0.15                             
4         24.119    3.42   1.80400    46.6           
5         80.817  (可変)                             
6         80.604    0.50   1.88300    40.8           
7          5.155    3.11                             
8        -11.881    0.50   1.83481    42.7           
9        144.605    0.12                             
10         12.135    1.85   1.92286    18.9           
11        -54.781    0.50   1.83481    42.7           
12         27.703  (可変)                             
13(絞り)    ∞       1.40                             
14*         6.457    3.05   1.58313    59.4           
15*       -48.960    0.25                             
16         17.341    0.55   1.88300    40.8           
17          6.230  (可変)                             
18          9.913    0.55   2.00069    25.5           
19          6.687    2.54   1.60311    60.6           
20        -46.853  (可変)                             
21*        14.153    2.14   1.55332    71.7           
22        -15.809    0.55   1.88300    40.8           
23        -55.195  (可変)                             
24          ∞       1.60   1.51500    70.0           
25          ∞     (可変)                             
像面        ∞   
非球面データ
第14面
K =-5.61682e-001  A 4=-2.34900e-005  A 6=-1.69313e-006  A 8=-4.20646e-009  
第15面
K =-1.44776e+002  A 4=-1.40479e-005  A 6=-8.64441e-007  A 8=-2.88155e-009  
第21面
K = 4.16776e+000  A 4=-1.57759e-004  A 6=-3.71394e-006  
各種データ
ズーム比     25.06 
焦点距離       3.01     9.73    75.55     
Fナンバー      1.86     3.20     3.50     
画角          33.89    13.01     1.71     
レンズ全長    74.20    74.20    74.20     
BF             1.44     1.44     1.44     
d 5            0.68    11.74    22.80     
d12           23.94    11.15     1.50     
d17            9.71     5.41     1.88      
d20            3.53     7.09    11.84      
d23            5.00     7.46     4.85     
d25            1.44     1.44     1.44       
ズームレンズ群データ
群  始面    焦点距離  
1    1      33.88  
2    6      -4.92  
3   13      30.08  
4   18      18.26  
5   21      29.06  
前述の各条件式と数値実施例における諸数値の関係を表１に示す。
【００４１】
【表１】
2017037199.tif 000004
【００４２】
次に本発明のズームレンズを撮影光学系として用いたデジタルビデオカメラ装置の実施例について図17を用いて説明する。
【００４３】
図17において、10はカメラ本体、11は実施例1〜4で説明したいずれかのズームレンズによって構成された撮影光学系である。12はカメラ本体に内蔵され、撮影光学系11によって形成された被写体像を受光するＣＣＤセンサやＣＭＯＳセンサ等の固体撮像素子（光電変換素子）である。
【００４４】
また、本発明のズームレンズを撮影光学系として用いたデジタルスチルカメラ装置の実施例を図18を用いて説明する。
図18において、20はカメラ本体、21は実施例1〜4で説明したいずれかのズームレンズによって構成された撮影光学系である。22はカメラ本体に内蔵され、撮影光学系21によって形成された被写体像を受光するＣＣＤセンサやＣＭＯＳセンサ等の固体撮像素子（光電変換素子）である。
【００４５】
このように本発明のズームレンズをデジタルスチルカメラやビデオカメラ等の撮像装置に適用することにより、小型で高い光学性能を有する撮像装置が実現できる。
【符号の説明】
【００４６】
Ｌ１  第１レンズ群、Ｌ２  第２レンズ群、Ｌ３  第３レンズ群
【図１】
2017037199.tif 000005
【図２】
2017037199.tif 000006
【図３】
2017037199.tif 000007
【図４】
2017037199.tif 000008
【図５】
2017037199.tif 000009
【図６】
2017037199.tif 000010
【図７】
2017037199.tif 000011
【図８】
2017037199.tif 000012
【図９】
2017037199.tif 000013
【図１０】
2017037199.tif 000014
【図１１】
2017037199.tif 000015
【図１２】
2017037199.tif 000016
【図１３】
2017037199.tif 000017
【図１４】
2017037199.tif 000018
【図１５】
2017037199.tif 000019
【図１６】
2017037199.tif 000020
【図１７】
2017037199.tif 000021
【図１８】
2017037199.tif 000022